(57)【特許請求の範囲】
【請求項１】
垂直な基板と、
画像ソースを表示するＬＣＤ表示器であって、該ＬＣＤ表示器の表示面が、下方では、上記基板上に水平に片持ち支持にて載置された固定板の中に組み込まれているＬＣＤ表示器と、
上記ＬＣＤ表示器より上方において上記固定板に載置された光源装置と、
上記ＬＣＤ表示器より下方に配置されたレンズであって、該レンズは、上記基板に片持ち支持されたスライド装置を介して上記基板上にスライド可能かつ水平に載置されたレンズ固定板の中に組み込まれているレンズとを備え、
上記スライド装置が、上記レンズと接続される上端を有するスライド板を含み、
上記スライド板の、上記基板に対向する側に、スライドブロックが固定されて載置され、
上記スライドブロックに適合するガイドスクリューが、上記基板上に水平に載置され、
上記ガイドスクリューの端部が、電気モータの出力端に接続されており、
上記ガイドスクリューに平行なスライドレールが、上記基板上に、上記ガイドスクリューから離れて載置され、
上記スライドレールに適合する凸部が、上記スライド板上の、上記スライドレールに対応する位置に設けられており、
上記レンズ固定板の、上記スライド板に対向する側に、少なくとも一つの突起が載置され、
上記突起に適合する垂直なレールが、上記スライド板上に設けられていることを特徴とするステレオ画像レンズ移動装置。
【請求項２】
上記光源装置が、上記固定板に垂直に載置された光混合密閉容器と、上記光混合密閉容器の上端に配置された光源素子とを備え、上記ＬＣＤ表示器は上記光混合密閉容器の真下に配置され、上記光混合密閉容器の２つの端部がそれぞれ、上記光源素子と、上記固定板の上面とによって閉じられていることを特徴とする請求項１に記載のステレオ画像レンズ移動装置。
【発明の詳細な説明】
【技術分野】
【０００１】
本発明は、ステレオ画像レンズ移動装置およびデジタルステレオ投影方法に関するものである。
【背景技術】
【０００２】
現在、デジタル写真に対する引き伸ばし・焼き付け装置のほとんどが、平面的な写真に対するものである。市場におけるデジタルステレオ写真に対する現像装置には今なお空白がある。市場におけるデジタルステレオ写真でさえ、そのいくつかは、デジタルステレオ写真ソフトウエアで処理され、プリンタで出力して、グレーティングで結合させた、偽のステレオ写真である。この種のデジタルステレオ写真は、高い技術が要求され、操作が複雑で、時間と手間がかかり、彩色しすぎる写真が生成されるため、人々に広くは受け入れられず、広まっていない。
【発明の概要】
【発明が解決しようとする課題】
【０００３】
本発明が解決しようとする技術的課題は、デジタルステレオ写真に対する現像装置が不足しており、ステレオ投影のときにレンズが移動する不便さがあるという従来技術における欠点を解消することであり、ステレオ画像レンズ移動装置およびデジタルステレオ投影方法を提供することにある。
【課題を解決するための手段】
【０００４】
上記技術的課題を解決するため、本発明は、
垂直な基板と、
画像ソースを表示するＬＣＤ表示器であって、該ＬＣＤ表示器の表示面が、下方では、上記基板上に水平に載置された固定板の中に組み込まれているＬＣＤ表示器と、
上記ＬＣＤ表示器より上方において上記固定板に載置された光源装置と、
上記ＬＣＤ表示器より下方に配置されたレンズであって、該レンズは、スライド装置を介して上記基板上にスライド可能かつ水平に載置されたレンズ固定板の中に組み込まれているレンズとを備えたことを特徴とするステレオ画像レンズ移動装置を提供する。
【０００５】
好ましくは、上記光源装置が、上記固定板に垂直に載置された光混合密閉容器と、上記光混合密閉容器の上端に配置された光源素子とを備え、上記ＬＣＤ表示器は上記光混合密閉容器の真下に配置され、上記光混合密閉容器の２つの端部がそれぞれ、上記光源素子と、上記固定板の上面とによって閉じられている。
【０００６】
好ましくは、上記スライド装置が、上記レンズと接続される上端を有するスライド板を含み、上記スライド板の、上記基板に対向する側に、スライドブロックが固定されて載置され、上記スライドブロックに適合するガイドスクリューが、上記基板上に水平に載置され、上記ガイドスクリューの端部が、電気モータの出力端に接続されている。
【０００７】
好ましくは、上記ガイドスクリューに平行なスライドレールが、上記基板上に、上記ガイドスクリューから離れて載置され、上記スライドレールに適合する凸部が、上記スライド板上の、上記スライドレールに対応する位置に設けられている。
【０００８】
好ましくは、上記レンズ固定板の、上記スライド板に対向する側に、少なくとも一つの突起が載置され、上記突起に適合する垂直なレールが、上記スライド板上に設けられている。
【０００９】
本発明は、さらに、ステレオ画像レンズ移動装置を用いるデジタルステレオ投影方法であって、
上記レンズが上記ＬＣＤ表示器の下方にあるようにして上記ＬＣＤ表示器で第１の写真を表示し、上記光源装置をオンにして第１の投影および感光を行うステップＳ１と、
コンピュータによって第２の写真に切り替え、上記レンズが以前の位置から水平面内で所定の距離だけ移動するようにし、このとき、上記レンズを通じて注入される光が写真感光材の全表面を再び覆うようになるまで、上記レンズが移動する方向に沿って同期して感光台を移動させるステップＳ２と、
上記光源装置をオンにして、上記写真感光材に対して第２の投影および感光を行うステップＳ３と、
すべての写真が投影および感光されるまで上記ステップＳ２とＳ３とを繰り返すステップＳ４とを有することを特徴とする方法を提供する。
【００１０】
好ましくは、上記ステップＳ１の前に、同じ景色の写真を異なる視野から撮影するステップを有する。
【００１１】
好ましくは、上記レンズが移動する方向は、以前の投影および感光処理のための写真撮影時のカメラに対する、現在の投影および感光処理のための写真撮影時のカメラの回転方向である。
【００１２】
好ましくは、上記ステップＳ４の後に、上記写真感光材を現像するステップを有する。
【発明の効果】
【００１３】
本発明の積極的な有利な効果は以下の通りである。ステレオ画像レンズ移動装置は、簡素な構造を有し、操作が容易で、複数回の投影および感光のための移動を行うことができる。さらに、表示装置としてＬＣＤ表示器が採用されており、デジタル装置によって得られる画像ソースがステレオ写真の処理を受けることができる。それゆえ、本発明は、感光の精度が高い。さらに、本発明に係るレンズの焦点は、レールによって垂直方向に調整することができ、それにより、画像サイズを変え、画像効果とステレオ写真のサイズとを増加させることができる。
【図面の簡単な説明】
【００１４】
【図１】本発明の好適な実施形態に係るステレオ画像レンズ移動装置の斜視図である。
【図２】本発明の好適な実施形態に係るステレオ画像レンズ移動装置の側面図である。
【図３】本発明の好適な実施形態に係るステレオ画像レンズ移動装置の正面図である。
【図４】光源装置とＬＣＤ表示器とを省いた図３のステレオ画像レンズ移動装置の平面図である。
【図５】光源装置を省いた図３のステレオ画像レンズ移動装置の平面図である。
【発明を実施するための形態】
【００１５】
図１ないし図３を参照して、本発明に係るステレオ画像レンズ移動装置は、基板１と、ステレオ画像レンズ移動装置１の一方の側に固定された固定板３と、固定板３に組み込まれてコンピュータ（図示せず）に接続されたＬＣＤ表示器１５（図５に示す）と、ＬＣＤ表示器１５を真上から覆う光混合密閉容器２と、光混合密閉容器２の上端に配置された光源装置とを備えている。ここでは、光源装置４と、固定板３の上面とが、光混合密閉容器２の２つの端部を閉じている。
【００１６】
図３を参照して、基板１にはスライド板７が配置されており、このスライド板７は固定板３より下方にあり、基板１に関して水平に移動することができる。スライド板７の上端にあるレンズ固定板１０にはレンズ５が載置されている。レンズ固定板１０は、スライド板７が基板１の中央位置（すなわち初期状態）にあるときにはレンズ５がＬＣＤ表示器１５の真下に位置するように、スライド板７の上端に接続されている。本発明の好適な実施形態では、スライド板７と基板１とは、水平に設けられたガイドスクリューユニット１１を介して、スライド可能に接続されている。スライド板７にはスライドブロック６が固定されて載置されており、基板１の対応位置に載置されたガイドスクリューユニット１１と協同して、スライド板７を移動させるようになっている。ガイドスクリューユニット１１は、カプラ１３を介して電気モータ１２の出力軸に接続された端部を有する。好ましくは、スライド板をより滑らかに移動させるために、スライド板７と基板１との間に、適合したスライドレール８が載置される。本発明は、スライド板７を移動させる機構をさらに限定するものではない。本発明のガイドスクリューユニット１１を差し替えようとする当業者によって、従来技術において基板１に関してスライド板７を水平に移動させるどのような機構も使用することができる。例えば、ギアやチェーンを使用することもできる。
【００１７】
好ましくは、レンズ固定板１０は、スライド可能にスライド板７に設けられており、突起を有している。また、スライド板７は、この突起に適合する垂直なスライドレール９を有している。投影および感光中に、レンズ５の焦点を変えるために、レンズ固定板１０が調整される。
【００１８】
上記ステレオ画像レンズ移動装置を用いたデジタルステレオ投影方法について、以下にさらに述べる。
【００１９】
まず、よりわかりやすくするために、ここでは、用いる３つの写真について述べる。第１の写真は、対象物の正面から、カメラで撮影する。第２の写真は、この対象物の正面から５°（５度）、この対象物の周りに左回転した後、このカメラで撮影する。第３の写真は、この対象物の正面から５°（５度）、この対象物の周りに右回転した後、このカメラで撮影する。
【００２０】
次に、左方向・右方向というのは、対象物の正面を基準にしたときの方向である。
【００２１】
ステップＳ１：レンズ５がＬＣＤ表示器１５の真下にあるようにしてＬＣＤ表示器１５で第１の写真を表示し、光源装置４によって注入される３色の光が光混合密閉容器２によって混合された後にＬＣＤ表示器１５を介してレンズ５に到達し、ＬＣＤ表示器１５上の第１の写真が、レンズ５とグレーティング１７とを通じて写真感光材１８上で投影および感光処理され、このようにして第１の投影および感光を行い、
ステップＳ２：コンピュータによって第２の写真に切り替え、電気モータ１２がレンズ５を所定の距離だけ左方向かつ水平に移動するように駆動し、このとき、レンズ５を通じて注入される光が写真感光材１８の全域を再び覆うようになるまで、レンズ５が移動する方向に沿って同期して感光台１６が移動し、
ステップＳ３：上記ステップＳ１同様、写真感光材１８に対して第２の投影および感光を行い、
ステップＳ４：コンピュータによって第３の写真に切り替え、電気モータ１２がレンズ５を所定の距離だけ右方向かつ水平に移動するように駆動し、このとき、レンズ５を通じて注入される光が写真感光材１８の全域を再び覆うようになるまで、レンズ５が移動する方向に沿って同期して感光台１６が移動し、
ステップＳ５：上記ステップＳ１同様、写真感光材１８に対して第３の投影および感光を行い、
ステップＳ６：写真感光材１８を現像する。
【００２２】
異なる視野の写真の投影および感光の順序は自由に変更でき、上記好適な実施形態に限定されないということは述べておく価値がある。
【００２３】
図面と上記記述とに示される本発明の実施形態は、単なる例であって、これに限定することを意図したものではないことは、当業者には理解されるだろう。
【００２４】
このようにして、本発明の目的は十分、かつ効果的に成し遂げられることがわかるだろう。その実施形態は、本発明の機能と構造的本質を説明するために記載されており、この本質から離れることなく変更されうる。それゆえ、この発明は、請求項の精神と範囲とに含まれるすべての変更を包含している。
【図１】
0005624990.tif 000002
【図２】
0005624990.tif 000003
【図３】
0005624990.tif 000004
【図４】
0005624990.tif 000005
【図５】
0005624990.tif 000006